(57)【要約】【課題】  複数のメモリに格納された情報が整合しているか否かを容易に確認できる車両用表示装置を提供する。【解決手段】  車両の各種情報を表示する表示手段６と、メモリ書き換え用機器を用いて電気的にデータの書き換えが可能な記憶部を有し、前記記憶部に格納された制御プログラムおよび制御データに従って表示手段６を制御するための演算処理を実行する制御手段３と、制御手段３に対して電気的に接続可能に設けられ、前記制御プログラムあるいは前記制御データに関連する関連情報を格納する電気的にデータの書き換えが可能な外部記憶手段４と、を設けてなる。【選択図】  図１
2008056193.tif 000002
【特許請求の範囲】
【請求項１】
車両の各種情報を表示する表示手段と、外部機器を用いて電気的にデータの書き換えが可能な第１の記憶手段を有し、前記第１の記憶手段に格納された制御プログラムおよび制御データに従って前記表示手段を制御するための演算処理を実行する制御手段と、前記制御手段に対して電気的に接続可能に設けられ、前記制御プログラムあるいは前記制御データに関連する関連情報を格納する電気的にデータの書き換えが可能な第２の記憶手段と、を設けてなる車両用表示装置であって、
前記制御手段は、前記制御プログラムあるいは前記制御データと、前記関連情報とが整合しているか否かを判定し、整合していないと判定した場合に通常とは異なる表示を行うように前記表示手段を制御してなることを特徴とする車両用表示装置。
【請求項２】
前記制御手段は、前記判定において、整合していないと判定した場合に、解決するための操作を促す表示を行うように前記表示手段を制御してなることを特徴とする請求項１に記載の車両用表示装置。
【発明の詳細な説明】
【技術分野】
【０００１】
本発明は、車両の各種情報を表示する表示手段と、この表示手段を制御する制御手段と、を備えてなる車両用表示装置に関して、特に、外部機器によって制御プログラムや制御データなどの情報を書き換え可能な車両用表示装置に好適である。
【背景技術】
【０００２】
従来、自動車等の車両に搭載される車両用表示装置は、マイクロコンピュータ等の制御手段などを搭載し、限られた筐体で多くの機能を実現可能にしている。また、マイクロコンピュータの制御プログラムや制御データを格納するメモリとして、電気的に書き換え可能なＥＥＰＲＯＭやフラッシュＲＯＭなどが使用される場合がある。制御プログラムや制御データの少なくとも一部をこのような電気的書き換え可能な不揮発性半導体メモリに格納しておけば、メモリを取り外さなくても制御プログラムや制御データをバージョンアップするなど、格納されている情報を書き換えることができる（例えば、特許文献１に記載）。
【特許文献１】特開２００２−４６５５６号公報
【発明の開示】
【発明が解決しようとする課題】
【０００３】
しかしながら、車両用表示装置は、多様な機能を満たすために、上述したような電気的書き換え可能な不揮発性半導体メモリを複数設けることがある。この場合、それぞれのメモリに格納された情報に対して、更新作業を行う必要があり、さらに車種別に異なる機能の有無によってこの更新作業の一部が必要ない場合など、煩雑な判定作業が必要であった。
【０００４】
また、仮に一部の必要な更新作業を行わなかった場合、各メモリに格納された情報に整合がとれず、誤表示するなど装置が正常に作動しない可能性があるため、作業者は細心の注意が必要であった。
【０００５】
そこで本発明の目的とするところは、上述した問題に着目してなされたものであって、複数のメモリに格納された情報が整合しているか否かを容易に確認できる車両用表示装置を提供することにある。
【課題を解決するための手段】
【０００６】
本発明の車両用表示装置は、請求項１に記載したように、車両の各種情報を表示する表示手段と、外部機器を用いて電気的にデータの書き換えが可能な第１の記憶手段を有し、前記第１の記憶手段に格納された制御プログラムおよび制御データに従って前記表示手段を制御するための演算処理を実行する制御手段と、前記制御手段に対して電気的に接続可能に設けられ、前記制御プログラムあるいは前記制御データに関連する関連情報を格納する電気的にデータの書き換えが可能な第２の記憶手段と、を設けてなる車両用表示装置であって、前記制御手段は、前記制御プログラムあるいは前記制御データと、前記関連情報とが整合しているか否かを判定し、整合していないと判定した場合に通常とは異なる表示を行うように前記表示手段を制御してなることを特徴とする。
【０００７】
また、請求項２に記載したように、請求項１に記載の車両用表示装置において、前記制御手段は、前記判定において、整合していないと判定した場合に、解決するための操作を促す表示を行うように前記表示手段を制御してなることを特徴とする。
【発明の効果】
【０００８】
本発明は、車両の各種情報を表示する表示手段と、複数の記憶手段に格納された情報に基づいて前記表示手段を制御する制御手段と、を備えてなる車両用表示装置に関して、複数の記憶手段に格納された情報が整合しているか否かを容易に確認できる車両用表示装置を提供できる。
【発明を実施するための最良の形態】
【０００９】
以下、本発明が適用された実施の形態を添付図面を用いて説明する。
【００１０】
図１は、自動車に搭載される車両用表示装置の電気的な構成を示すブロック図である。車両用表示装置は、ＣＡＮコントローラ１と、イグニションスイッチ２と、制御手段３と、外部記憶手段（第２の制御手段）４と、ドライバ５と、表示手段６と、を備えている。
【００１１】
ＣＡＮコントローラ１は、ＣＡＮ（Controller Area Network）通信を用いて車両のＥＣＵなどから発せられる各種情報を送受信するための回路である。ＣＡＮコントローラ１は、多重通信できるＣＡＮ通信プロトコルの各種情報を入力し制御手段３が処理可能なプロトコルに変換して制御手段３へ出力する、あるいはその逆の処理を行うことができる。この場合、制御手段３は、脱着可能なコネクタに接続されたメモリ書き換え用機器（外部機器）からの信号をＣＡＮ通信を介して送受信することができる。
【００１２】
イグニションスイッチ２は、車両のイグニションスイッチであり、オンまたはオフに応じて検出信号を出力するものである。
【００１３】
制御手段３は、マイクロコンピュータを適用することができ、ＣＡＮコントローラ１やイグニションスイッチ２，外部記憶手段４からの信号を入力し、この信号に応じて表示手段５が作動するように表示情報を生成し、ドライバ５へ出力するものである。また、制御手段３は、各種情報に基づいて表示用の情報を演算処理するＣＰＵと、このＣＰＵにおける演算処理結果等を一時的に格納する読み出し及び書き換え可能なＲＡＭや制御プログラムや制御データを格納したＥＥＰＲＯＭから構成される記憶部（第１の記憶手段）と、入力手段１やドライバ４などとデータをやり取りするためにバス接続された入出力インターフェイスと、を備えている。
【００１４】
外部記憶手段４は、電気的に書き換え可能なＥＥＰＲＯＭ、あるいはフラッシュメモリなどを適用でき、制御プログラムや制御データに関連して必要な関連情報を格納するものである。この場合、外部記憶手段４は、表示手段６に表示させるための描画データなどを関連情報として格納することができる。
【００１５】
ドライバ５は、制御手段３からの表示情報を受けて、表示手段６を駆動制御するための駆動信号を生成し出力する回路である。なお、ドライバ５は、上述マイクロコンピュータによって構成することもできる。
【００１６】
表示手段６は、液晶表示素子や有機ＥＬ素子などの表示器を適用でき、ドライバ５からの駆動信号に基づく表示を行うものである。この場合、表示手段６は、車両のインストルメントパネル面、あるいはインストルメントパネルに設けられる計器内など、利用者にとって視認しやすい位置に設けられる。なお、表示手段として、フロントガラス面，あるいは専用のコンバイナ面に虚像を投影して表示するヘッドアップディスプレイを適用することもできる。
【００１７】
以上の構成によって、制御手段３は、各種情報に基づいた表示を表示手段６に出力させることができる。また、制御手段３は、直接メモリ書き換え用機器とポート接続されるか、あるいは前述したように脱着可能なコネクタに接続されたメモリ書き換え用機器からの信号をＣＡＮコントローラ１を介して送受信することによって、制御手段３に設けられる記憶部あるいは外部記憶手段４の書き換え可能領域に格納された制御プログラムや関連情報などを書き換えることができる。この際、制御手段３は、表示手段６に文字や記号，プログレスバーなどの表示を用いて処理状況や通信エラー情報などを示すことができる。
【００１８】
また、制御手段３の制御プログラムには、所定のタイミング（例えば、イグニションスイッチ２のオフからオンへの操作に基づく信号を検出した後）に、記憶部に格納された制御プログラムや制御データに対して、制御処理を不具合なく行うことが可能な描画データ等の関連情報が外部記憶手段４に格納されているか否かを判定するアルゴリズムが用意されている。
【００１９】
制御手段３は、この判定において、条件を満たさない場合には、各情報が整合していないと判断して、表示手段６に通常の表示とは異なる表示、例えば、「データ不整合」なる状況を示す表示と、整合させるための操作を促す表示とを行うように表示情報をドライバ５に出力することができる。
【００２０】
なお、制御手段３は、記憶部の制御プログラムあるいは制御データと、外部記憶手段４の関連情報とが整合しているか否かを判定するためには、外部記憶手段４に格納された関連情報のバージョンや更新日時を比較したり、サムチェックを行うことによって、整合するか否かを判定することができる。したがって、記憶部の制御プログラムあるいは制御データと、外部記憶手段４の関連情報との両方について更新が必要な場合にも関わらず、何らかの理由で片方しか更新されないことによって少なくとも一部の情報が整合しない場合には、上述の処理で、不具合を確認することができる。
【００２１】
かかる車両用表示装置は、車両の各種情報を表示する表示手段６と、メモリ書き換え用機器を用いて電気的にデータの書き換えが可能な記憶部を有し、前記記憶部に格納された制御プログラムおよび制御データに従って表示手段６を制御するための演算処理を実行する制御手段３と、制御手段３に対して電気的に接続可能に設けられ、前記制御プログラムあるいは前記制御データに関連する関連情報を格納する電気的にデータの書き換えが可能な外部記憶手段４と、を設けてなる車両用表示装置であって、制御手段３は、前記制御プログラムあるいは前記制御データと、前記関連情報とが整合しているか否かを判定し、整合していないと判定した場合に通常とは異なる表示を行うように表示手段６を制御してなる。
【００２２】
したがって、複数の記憶手段に格納された情報が整合しているか否かを容易に確認できる車両用表示装置となる。すなわち、作業者によって、制御プログラムや制御データ、関連情報の何れかを更新した場合に、各情報が整合しないことによって誤表示をしてしまう事前に、表示手段６を用いて確認することが可能となる。
【００２３】
また、制御手段３は、前記判定において、複数の記憶手段に格納された情報が整合していないと判定した場合に、解決するための操作を促す表示を行うことによって、各情報が整合しているか否かを容易に確認できるだけでなく、作業者によって各情報が整合するための操作を指示し、煩雑な確認作業を強いることなく容易に不具合を解決することができる。
【００２４】
なお、本発明の車両用表示装置を上述した実施の形態の構成によって例を挙げて説明したが、本発明はこれに限定されるものではなく、他の構成においても、本発明の要旨を逸脱しない範囲において種々の改良、並びに設計の変更が可能なことは勿論である。例えば、制御プログラムおよび制御データをＥＥＰＲＯＭに格納する実施の形態を示したが、書き換え可能な不揮発性の記憶手段であればよく、フラッシュメモリでもよいし、ハードディスク等の磁気的記憶手段やＭＯ等の磁気光学的記憶手段などを用いることもできる。
【００２５】
また、車両用表示装置の回路構成は種々の変更が可能であり、例えば、ＣＡＮコントローラは、制御手段に内蔵されるものであってもよい。また、制御手段と外部機器とを接続するための外部通信用端子として、コネクタではなく、赤外線や電波を利用した近距離無線通信手段を用いてもよい。
【図面の簡単な説明】
【００２６】
【図１】本発明の実施の形態の車両用表示装置の概略を示すブロック図。
【符号の説明】
【００２７】
３  制御手段
４  外部記憶手段（第２の記憶手段）
６  表示手段
【図１】
2008056193.tif 000003